(57)【要約】【課題】利便性の良い保存データ転送機能を有する通信装置を提供すること。【解決手段】着信に応答する前に当該着信が終了した場合において、ＲＩＮＧ信号受信回数が５回未満であるとき、ＭＦＰ１は、その着信を、留守録転送指示であると判断し、受信した発信電話番号（図３に示す例ではＡさんの携帯電話の電話番号）に発呼する。そして被呼側の外部装置がその発呼に応答したら、ＭＦＰ１は、留守録データメモリに保存された留守録データを転送する。【選択図】図３
2011135318.tif 000002
【特許請求の範囲】
【請求項１】
外部装置からの着信がある場合に通信網から送られてくる前記外部装置の発信電話番号を受信する発信電話番号受信手段と、
前記着信がある場合に前記通信網から送られてくる呼出信号を受信する呼出信号受信手段と、
前記呼出信号受信手段により前記呼出信号を受信した後、前記通信網に応答信号を送信することにより、前記着信に応答する応答手段と、
前記応答手段により前記着信に応答する前に当該着信が終了した場合、前記発信電話番号受信手段により受信した前記発信電話番号に発呼し、データ記憶手段に保存された保存データを、前記外部装置へ転送する転送手段とを備える通信装置。
【請求項２】
前記呼出信号受信手段による呼出信号の受信回数を計数する計数手段を備え、
前記転送手段は、前記着信に応答する前に当該着信が終了した場合において、前記計数手段により計数した前記呼出信号の受信回数が所定回数未満であるとき、前記保存データを転送するものである請求項１記載の通信装置。
【請求項３】
前記呼出信号を受信した際に呼出音を鳴動する鳴動手段と、
前記計数手段により計数した前記呼出信号の受信回数が前記所定回数未満である間、前記鳴動手段による前記呼出音の鳴動を禁止する鳴動禁止手段とを備える請求項２記載の通信装置。
【請求項４】
電話番号を記憶する電話番号記憶手段と、
前記電話番号記憶手段に記憶された各電話番号について、前記保存データを転送するかを示す設定データを記憶する設定記憶手段とを備え、
前記鳴動禁止手段は、
前記発信電話番号取得手段により取得した前記発信電話番号について前記設定記憶手段に記憶された前記設定データが前記保存データを転送することを示す場合において、前記計数手段により計数した前記呼出信号の受信回数が前記所定回数未満であるとき、前記呼出音の鳴動を禁止する請求項３記載の通信装置。
【請求項５】
前記通信網に通じる回線の閉結と開放とを制御する回線制御手段と、
前記回線を開放した状態において、前記呼出信号を前記所定回数未満、受信した後、所定時間以上継続して前記呼出信号を受信しない場合、前記回線制御手段により前記回線を閉結する回線閉結手段とを備える請求項２から４のいずれかに記載の通信装置。
【請求項６】
前記応答手段により前記着信に応答する前に当該着信が終了した場合において、前記計数手段により計数した前記呼出信号の受信回数が０であるとき、前記保存データの転送を禁止する転送禁止手段を備える請求項２から５のいずれかに記載の通信装置。
【請求項７】
前記転送手段により前記保存データの転送を実行する場合、その転送の実行日時を示す最終留守録転送時刻データを、転送先の外部装置の電話番号に対応づけて記憶する転送日時記憶手段を備え、
前記転送手段は、
前記発信電話番号受信手段により受信した発信電話番号に対応づけて前記転送日時記憶手段に記憶された前記最終留守録転送時刻データを取得する転送日時取得手段と、
前記転送日時取得手段により取得した前記最終留守録転送時刻データで示される転送の実行日時よりも後に前記データ記憶手段に保存された保存データを抽出する抽出手段とを備え、
前記抽出手段により抽出された前記保存データを転送するものである請求項１から６のいずれかに記載の通信装置。
【発明の詳細な説明】
【技術分野】
【０００１】
本発明は、通信装置に関するものである。
【背景技術】
【０００２】
不在中に電話装置に録音されたメッセージを、外出中のユーザへ転送する転送機能が知られている。特許文献１には、メッセージを録音した場合、予め登録されている電話番号に自動的にダイヤルして、録音したメッセージを転送する電話装置が開示されている。特許文献２には、外出中のユーザから着信があった場合、自動応答し、外出中のユーザの電話装置から送られてくるＤＴＭＦ信号によるリモコン操作を受け付け、メッセージを外出中のユーザへ転送する電話装置が開示されている。
【先行技術文献】
【特許文献】
【０００３】
【特許文献１】特開平４−３４１０３８号公報
【特許文献２】特開２００２−７７３６７号公報
【発明の概要】
【発明が解決しようとする課題】
【０００４】
しかしながら、特許文献１に記載された技術では、外出中のユーザにとって都合の良いタイミングでメッセージを転送できず、利便性が悪いという問題点があった。例えば、会社内に設置された電話装置にメッセージが録音される度に、商談のために外出している社員の携帯電話へメッセージが転送されてしまうのでは、煩わしく不便である。
【０００５】
また、特許文献２に記載された技術では、外出中のユーザに通信料が課金されてしまうので、利便性が悪いという問題点があった。例えば、仕事上の必要に迫られて会社の電話装置に録音されたメッセージを確認するために、社員が個人で所有する携帯電話から電話をかける場合、その社員個人が通信料を負担することとなり、理不尽である。
【０００６】
本発明は、上記問題点を解決するためになされたものであり、利便性の良い保存データ転送機能を有する通信装置を提供することを目的としている。
【課題を解決するための手段】
【０００７】
この目的を達成するために、本発明の通信装置は、外部装置からの着信がある場合に通信網から送られてくる前記外部装置の発信電話番号を受信する発信電話番号受信手段と、前記着信がある場合に前記通信網から送られてくる呼出信号を受信する呼出信号受信手段と、前記呼出信号受信手段により前記呼出信号を受信した後、前記通信網に応答信号を送信することにより、前記着信に応答する応答手段と、前記応答手段により前記着信に応答する前に当該着信が終了した場合、前記発信電話番号受信手段により受信した前記発信電話番号に発呼し、データ記憶手段に保存された保存データを、前記外部装置へ転送する転送手段とを備える。
【０００８】
上記の通信装置において、さらに、前記呼出信号受信手段による呼出信号の受信回数を計数する計数手段を備え、前記転送手段は、前記着信に応答する前に当該着信が終了した場合において、前記計数手段により計数した前記呼出信号の受信回数が所定回数未満であるとき、前記保存データを転送するものであっても良い。
【０００９】
なお、本発明は、通信装置、該通信装置を制御する通信制御装置、該通信装置を含む通信システム、通信方法、通信装置を制御する通信制御プログラム、該通信制御プログラムを記録する記録媒体等の種々の態様で構成することができる。
【発明の効果】
【００１０】
請求項１記載の通信装置によれば、外部装置からの着信に応答する前に当該着信が終了した場合、前記外部装置の発信電話番号に発呼がされ、保存データが転送される。よって、外部装置側のユーザにとって都合の良いタイミングで、保存データの転送が実行されるので、利便性が良いという効果がある。また、発呼側の装置に通信料が課金される仕組みの通信サービスを利用する場合、保存データの転送元である通信装置の側に通信料が課金されるので、保存データの転送先である外部装置側のユーザにかかる料金的な負担が軽減され、利便性が良いという効果がある。
【００１１】
請求項２記載の通信装置によれば、請求項１記載の通信装置の奏する効果に加え、呼出信号の受信回数が所定回数未満であるとき保存データが転送されるので、外部装置側のユーザから見れば、通信装置における呼出信号の受信回数が所定回数未満である間に、外部装置から通信装置への発呼を終了するという簡単な指示動作で、保存データの転送を通信装置に実行させることができ、利便性が良いという効果がある。
【００１２】
請求項３記載の通信装置によれば、請求項２記載の通信装置の奏する効果に加え、呼出信号の受信回数が所定回数未満である間、呼出音の鳴動が禁止されるので、保存データの転送を指示する着信であるにも拘わらず、通信装置側のユーザがその着信に応答してしまうことを抑制できるという効果がある。
【００１３】
請求項４記載の通信装置によれば、請求項３記載の通信装置の奏する効果に加え、発信電話番号取得手段により取得した発信電話番号について記憶された設定データが、保存データを転送することを示す場合において、呼出信号の受信回数が所定回数未満であるとき、呼出音の鳴動が禁止されるので、保存データの転送を指示する着信である可能性が高い場合に、呼出音の鳴動を禁止できるという効果がある。
【００１４】
請求項５記載の通信装置によれば、請求項２から４のいずれかに記載の通信装置の奏する効果に加え、呼出信号を所定回数未満、受信した後、所定時間以上継続して呼出信号を受信しない場合に、回線が閉結されるので、外部装置からの着信終了後、保存データ転送のための発呼を行う前に、他の装置の着信を受けて回線が使用されてしまうことを抑制できるという効果がある。
【００１５】
請求項６記載の通信装置によれば、請求項２から５のいずれかに記載の通信装置の奏する効果に加え、着信に応答する前に当該着信が終了した場合において、呼出信号の受信回数が０であるとき、保存データの転送が禁止されるので、外部装置側のユーザが誤操作により通信装置に発呼した場合にまで、保存データの転送を実行してしまうことを抑制できるという効果がある。
【００１６】
請求項７記載の通信装置によれば、保存データの転送が実行される場合、その転送の実行日時を示す最終留守録転送時刻データが、転送先の外部装置の電話番号に対応づけて記憶される。そして、その最終留守録転送時刻データで示される転送の実行日時よりも後に保存された保存データが転送される。よって、請求項７記載の通信装置によれば、請求項１から６のいずれかに記載の通信装置の奏する効果に加え、どの時点で保存された保存データから転送すれば良いかを、電話番号毎に管理することができるので、複数台の外部装置から保存データ転送機能を利用する場合であっても、利便性が良いという効果がある。
【図面の簡単な説明】
【００１７】
【図１】本発明の通信装置の一実施形態であるＭＦＰの電気的構成を示したブロック図である。
【図２】（ａ）は電話帳メモリの構成を模式的に示す図であり、（ｂ）は留守録データメモリの構成を模式的に示す図であり、（ｃ）は通常着呼開始ＲＩＮＧ回数設定メモリの構成を模式的に示す図である。
【図３】ＭＦＰが有する留守録転送機能の概要を説明する図である。
【図４】ＭＦＰにおいて実行される留守録転送指示受付処理を示すフローチャートである。
【図５】ＭＦＰにおいて実行される留守録転送実行処理を示すフローチャートである。
【発明を実施するための形態】
【００１８】
以下、本発明の好ましい実施形態について、添付図面を参照して説明する。図１は、本発明の通信装置の一実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の電気的構成を模式的に示すブロック図である。このＭＦＰ１は、電話機能、ファクシミリ機能の他に、留守録機能と留守録転送機能とを有する。留守録機能は、電話回線網１００を介して他の電話装置から送られてくる入来メッセージをメモリに保存する機能である。留守録転送機能は、留守録機能により保存した入来メッセージを電話回線網１００を介して外部装置へ転送する機能である。特に、ＭＦＰ１は、利便性の良い留守録転送機能を有している。
【００１９】
電話回線網１００は、公衆回線電話網である。図１では図示を省略しているが、電話回線網１００は、さらに、携帯電話網など他の回線網とも相互に接続されており、他の回線網に接続される電話装置（例えば携帯電話）とも通信できるようになっている。
【００２０】
ＭＦＰ１は、ＣＰＵ１１、ＲＯＭ１２、ＲＡＭ１３、フラッシュメモリ１４、操作キー１５、ＬＣＤ１６、スキャナ２１、プリンタ２２、ハンドセット２３、アンプ２４、スピーカ２５、ＮＣＵ２６、モデム２７などを主に有している。
【００２１】
ＣＰＵ１１、ＲＯＭ１２、ＲＡＭ１３、フラッシュメモリ１４は、バスライン２８を介して互いに接続されている。また、操作キー１５、ＬＣＤ１６、スキャナ２１、プリンタ２２、ハンドセット２３、アンプ２４、ＮＣＵ２６、モデム２７、バスライン２８などは、入出力ポート２９を介して互いに接続されている。
【００２２】
ＣＰＵ１１は、ＲＯＭ１２などに記憶される固定値やプログラムまたはＮＣＵ２６を介して送受信される各種信号に従って、ＭＦＰ１が有している各機能の制御や、入出力ポート２９と接続された各部を制御するものである。
【００２３】
ＲＯＭ１２は、プログラムなどを格納した書換不能なメモリである。ＣＰＵ１１は、ＲＯＭ１２に格納された制御プログラムに基づいて、図４，図５に示す処理を実行する。ＲＡＭ１３は、書換可能な揮発性のメモリであり、ＲＩＮＧ信号受信回数カウンタ１３ａと、発信電話番号メモリ１３ｂとが設けられる。
【００２４】
ＲＩＮＧ信号受信回数カウンタ１３ａは、ＲＩＮＧ信号の受信回数（以下、ＲＩＮＧ信号受信回数と称する）を計数するためのカウンタである。ここで、ＲＩＮＧ信号は、ＭＦＰ１への着信がある場合に、電話回線網１００からＭＦＰ１へ送られてくる呼出信号である。ＲＩＮＧ信号受信回数カウンタ１３ａの初期値は「０」であり、ＭＦＰ１は、ＲＩＮＧ信号を１回受信する毎に、ＲＩＮＧ信号受信回数カウンタ１３ａの値をカウントアップする。
【００２５】
発信電話番号メモリ１３ｂは、発信電話番号を記憶するメモリである。ＭＦＰ１が「ナンバーディスプレイ（登録商標）」や「ＣａｌｌｅｒＩＤ」と称される発信電話番号表示サービスに加入している場合、電話回線網１００の交換機からＭＦＰ１へは、上記ＲＩＮＧ信号に加え、発呼側装置の発信電話番号を含む信号（以下、ＣａｌｌｅｒＩＤ信号と称する）が送られてくる。ＭＦＰ１は、ＣａｌｌｅｒＩＤ信号を受信すると、当該信号に含まれる発信電話番号を留守録転送対象番号として、発信電話番号メモリ１３ｂに記憶する。
【００２６】
フラッシュメモリ１４は、書換可能な不揮発性のメモリであり、電話帳メモリ１４ａ、留守録データメモリ１４ｂ、通常着呼開始ＲＩＮＧ回数設定メモリ１４ｃが設けられている。ＭＦＰ１は、留守録機能を実行する留守録モードの設定中において、他の電話装置から着信を受けると、自動応答する。そして、ＭＦＰ１は、前記他の電話装置から音声信号として送られてくる入来メッセージを、内蔵のＣＯＤＥＣ（図示せず）によりデジタルデータに変換し、留守録データメモリ１４ｂに保存する。なお、留守録データメモリ１４ｂに保存された入来メッセージを、以下、留守録データと称する。メモリ１４ａ，１４ｂ，１４ｃの構成については、図２を参照して後述する。
【００２７】
操作キー１５には、電話番号を入力するためのテンキーなどが設けられる。ＬＣＤ１６は、ＭＦＰ１の状態を表す画面を表示する。また、ＭＦＰ１は、スキャナ２１により読み取った画データをＦＡＸ送信することができるように構成され、また、ＦＡＸ受信した画データをプリンタ２２により印刷出力できるように構成されている。
【００２８】
ハンドセット２３は、非通話時にはＭＦＰ１の本体に設けられた図示しないフック上に置かれ、通話時にはフックから取り上げて使用される。アンプ２４は、ＮＣＵ２６においてＲＩＮＧ信号を受信した際、スピーカ２５からベル音（呼出音）を鳴動する。
【００２９】
ＮＣＵ２６は、電話回線網１００に通じる回線３０の閉結と開放とを制御するものである。ＮＣＵ２６は、電話回線網１００から送られてくるＲＩＮＧ信号やＣａｌｌｅｒＩＤ信号などの各種信号を受信し、また、発呼時にダイヤル信号を送出したり、通信時に音声信号の送受信を行う。モデム２７は、ＦＡＸ送信する画データを、電話回線網１００に伝送可能な信号に変調しＮＣＵ２６を介して送信したり、電話回線網１００からＮＣＵ２６を介して入力された信号を、画データへ復調する。また、モデム２７は、電話回線網１００から受信したＣａｌｌｅｒＩＤ信号をデジタルデータに変換して出力する。
【００３０】
図２（ａ）は、電話帳メモリ１４ａの構成を模式的に示す図である。電話帳メモリ１４ａには、名前エリア１４ａ１と、電話番号エリア１４ａ２と、留守録転送登録エリア１４ａ３と、最終留守録転送時刻エリア１４ａ４と、留守録転送登録時刻エリア１４ａ５とが設けられる。
【００３１】
名前エリア１４ａ１は氏名または名称を記憶するエリアであり、電話番号エリア１４ａ２は電話番号を記憶するエリアである。ユーザは、操作キー１５を用いて、任意の氏名や電話番号等を入力することにより、これらのデータを電話帳メモリ１４ａに登録できる。
【００３２】
留守録転送登録エリア１４ａ３は、電話番号エリア１４ａ２に記憶された電話番号の各々について、留守録データを転送するか否かを示した設定データを記憶するエリアである。設定データとして「有」が対応づけられた電話番号に対して、ＭＦＰ１は、留守録データを転送する。一方、設定データとして「無」が対応付けられた電話番号に対して、ＭＦＰ１は、留守録データを転送しない。なお、この設定データは、ユーザが適宜変更することができる。
【００３３】
最終留守録転送時刻エリア１４ａ４は、設定データとして「有」が対応づけられた各電話番号について、最終留守録転送時刻データを記憶するエリアであり、留守録転送登録時刻エリア１４ａ５は、設定データとして「有」が対応づけられた各電話番号について、留守録転送登録時刻データを記憶するエリアである。ＭＦＰ１は、ある外部装置に対して留守録データの転送を実行した場合、ＭＦＰ１が内蔵する時計から、その転送の実行日時を取得し、最終留守録転送時刻データとして、転送先の外部装置の電話番号に対応づけて最終留守録転送時刻エリア１４ａ４に記憶する。すなわち、最終留守録転送時刻データは、対応づけられた電話番号の外部装置に対して、最後に留守録データの転送を行った日時を表している。また、ＭＦＰ１は、ある電話番号についての設定データとして「有」が登録された場合、その登録の実行日時を、留守録転送登録時刻データとして取得し、前記電話番号に対応付けて留守録転送登録時刻エリア１４ａ５に記憶する。
【００３４】
図２（ｂ）は、留守録データメモリ１４ｂの構成を模式的に示す図である。留守録データメモリ１４ｂには、データ番号エリア１４ｂ１と、録音時間エリア１４ｂ２と、留守録データエリア１４ｂ３とが設けられる。ＭＦＰ１は、留守録データに１対１に対応するデータ番号をデータ番号エリア１４ｂ１に格納する。また、留守録データを保存した日時を表す録音時間データを、留守録データに１対１に対応付けて録音時間エリア１４ｂ２に格納する。ＭＦＰ１は、操作キー１５において再生が指示された場合、または、後述する留守録転送の指示を受け付けた場合、留守録データエリア１４ｂ３に保存された留守録データを内蔵の音声ＣＯＤＥＣにより音声信号に変換し、出力または転送する。
【００３５】
図２（ｃ）は、通常着呼開始ＲＩＮＧ回数設定メモリ１４ｃの構成を模式的に示す図である。通常着呼開始ＲＩＮＧ回数設定メモリ１４ｃに設定された値を、以下、通常着呼開始ＲＩＮＧ回数と称する。ＭＦＰ１は、ＲＩＮＧ信号受信回数が、通常着呼開始ＲＩＮＧ回数以上となった場合、その着信を、通話等を要求する通常の着信であると判断する。通常着呼開始ＲＩＮＧ回数は、ユーザが任意に設定可能である。なお、以下の説明において、通常着呼開始ＲＩＮＧ回数は「５」に設定されているものとする。
【００３６】
図３は、ＭＦＰ１が有する留守録転送機能の概要を説明する図である。まず、図３（ａ）に示すように、Ａさんの携帯電話２００から、会社に設置されたＭＦＰ１に発呼する。なお、Ａさんの携帯電話２００の電話番号は、図２（ａ）を参照して説明した電話帳メモリ１４ａに登録されており、その電話番号について記憶されている設定データは、留守録データを転送することを示す「有」である。ＭＦＰ１が受信するＲＩＮＧ信号が５回未満である間に、Ａさんが携帯電話２００からの発呼を終了し、回線を切断すると、ＭＦＰ１は、当該着信を、留守録転送指示であると判断する。
【００３７】
換言すれば、着信に応答する前に当該着信が終了した場合において、ＲＩＮＧ信号受信回数が５回未満であるとき、ＭＦＰ１は、その着信を、留守録転送指示であると判断し、図３（ｂ）に示すように、受信した発信電話番号（図３に示す例ではＡさんの携帯電話の電話番号）に発呼する。そして被呼側の外部装置がその発呼に応答したら、ＭＦＰ１は、留守録データメモリ１４ｂに保存された留守録データを音声信号に変換し、電話回線網１００を介して被呼側の外部装置へ転送する。一方、被呼側の外部装置においては、受信した留守録データが、音声として送話器から出力される。
【００３８】
このようにすれば、外部装置側のユーザ（図３に示す例ではＡさん）にとって都合の良いタイミングで、留守録データの転送が実行されるので、利便性が良い。また、発呼側の装置に通信料が課金される仕組みの通信サービスを利用する場合は、留守録データの転送元であるＭＦＰ１の側に通信料が課金されるので、留守録データの転送先である外部装置側のユーザにかかる料金的な負担が軽減され、利便性が良い。
【００３９】
また、外部装置側のユーザから見れば、ＭＦＰ１におけるＲＩＮＧ信号受信回数が所定回数未満である間に、外部装置からＭＦＰ１への発呼を終了するという簡単な指示動作で、留守録データの転送をＭＦＰ１に実行させることができ、利便性が良い。
【００４０】
なお、図２（ａ）を参照して説明した電話帳メモリ１４ａにおいて、Ｂさんの携帯電話２０２の電話番号については、設定データ「無」が登録されている。また、Ｃ会社固定電話２０４の電話番号は、電話帳メモリ１４ａに記憶されていない。よって、Ｂさんの携帯電話２０２またはＣ会社固定電話２０４からの着信を受けた場合、ＭＦＰ１は、当該着信を通常の着信と同様に処理し、留守録データの転送を行わない。よって、セキュリティが確保される。
【００４１】
図４は、ＭＦＰ１のＣＰＵ１１が実行する留守録転送指示受付処理を示すフローチャートである。この処理は、留守録転送指示を受け付ける処理である。ＭＦＰ１に対する着信があったとき、電話回線網１００の交換機は、回線３０の極性を反転した後、発信電話番号を通知する着信であることを伝える情報受信端末起動信号を、ＭＦＰ１へ送出する。ＭＦＰ１は、情報受信端末起動信号を検出した場合に、この留守録転送指示受付処理を開始する。
【００４２】
まず、ＣＰＵ１１は、情報受信端末起動信号に対する応答を示す一次応答信号を、交換機へ送信することにより、ＭＦＰ１をＣａｌｌｅｒＩＤ信号受信可能な状態とする（Ｓ４０１）。電話回線網１００の交換機はＭＦＰ１から一次応答信号を受信すると、ＭＦＰ１に対し、ＣａｌｌｅｒＩＤ信号を送出する。
【００４３】
次に、ＣＰＵ１１は、電話回線網１００から送られてくるＣａｌｌｅｒＩＤ信号を受信する（Ｓ４０２）。このＣａｌｌｅｒＩＤ信号は、モデム２７によりデジタルデータに変換される。次に、ＣＰＵ１１は、ＣａｌｌｅｒＩＤ信号に含まれて交換機から送信されてきた発信電話番号が、電話帳メモリ１４ａに記憶されているか否かを判断する（Ｓ４０４）。Ｓ４０４の判断が肯定される場合（Ｓ４０４：Ｙｅｓ）、ＣＰＵ１１は、受信した発信電話番号が留守録転送対象の電話番号か否かを判断する（Ｓ４０６）。具体的には、取得した発信電話番号について留守録転送登録エリア１４ａ３に記憶された設定データが、留守録データを転送することを示す「有」であるか否かを判断する。
【００４４】
Ｓ４０６の判断が肯定される場合（Ｓ４０６：Ｙｅｓ）、ＣＰＵ１１は、留守録転送指示の着呼モードへＭＦＰ１を移行させる（Ｓ４０８）。留守録転送指示の着呼モードにおいて、ＣＰＵ１１は、留守録転送指示の着呼中である旨を、ＬＣＤ１６に表示し（Ｓ４１０）、アンプ２４によるベル音の鳴動を禁止し（Ｓ４１２）、さらにハンドセット２３およびフックキー（図示せず）を無効化する（Ｓ４１４）。すなわち、操作キー１５に設けられた通話開始キーの押下や、ハンドセット２３を上げることによるオフフックが検出されたとしても、ＮＣＵ２６において回線３０を閉結しないように設定する。
【００４５】
このようにすれば、ＬＣＤ１６の表示により、着信中であることをユーザに知らせることができる。また、ベル音は鳴動されないので、留守録転送指示である可能性が高い着信を、ＭＦＰ１側のユーザが通常の着信と勘違いしてしまうことを抑制できる。さらに、ハンドセット２３およびフックキーの無効化により、ＭＦＰ１側のユーザが着信に応答してしまうことを防止できる。留守録転送指示の着信であるにも拘わらず、ＭＦＰ１側のユーザが着信に応答してしまうと、留守録転送機能が正常に機能しなくなることに加え、発呼元の外部装置に通信料が課金されてしまうという不都合が生じるのである。
【００４６】
次に、ＣＰＵ１１は、受信した発信電話番号を、留守録転送対象番号として、発信電話番号メモリ１３ｂに記憶し（Ｓ４１５）、ＲＩＮＧ信号受信回数を０回にクリアする（Ｓ４１６）。そして、ＣＰＵ１１は、回線３０を開放し、ＭＦＰ１をＲＩＮＧ信号受信可能な状態とする（Ｓ４１７）。次に、電話回線網１００の交換機は、ＲＩＮＧ信号をＭＦＰ１へ送出する。なお、交換機は、ＭＦＰ１に対して送出したＲＩＮＧ信号と同じ数の呼出音（リングバックトーン）を、発呼元の外部装置に対して送出する。したがって、発呼元の外部装置は、呼出音の回数を聞くことにより、ＭＦＰ１におけるＲＩＮＧ信号受信回数を知ることができる。
【００４７】
次に、ＣＰＵ１１は、ＲＩＮＧ信号が送信されてきたか否かを判断し（Ｓ４１８）、Ｓ４１８の判断が肯定される場合は（Ｓ４１８：Ｙｅｓ）、ＲＩＮＧ信号を受信し（Ｓ４２０）、ＲＩＮＧ信号受信回数をカウントアップする（Ｓ４２２）。
【００４８】
次に、ＣＰＵ１１は、ＲＩＮＧ信号受信回数が、通常着呼開始ＲＩＮＧ回数に到達したか否かを判断する（Ｓ４２４）。Ｓ４２４の判断が否定される場合（Ｓ４２４：Ｎｏ）、ＣＰＵ１１は、Ｓ４１８から処理を繰り返す。すなわち、ＲＩＮＧ信号受信回数が、通常着呼開始ＲＩＮＧ回数未満である間、ベル音の鳴動を禁止するのである。
【００４９】
Ｓ４０４或いはＳ４０６の判断が否定される場合（Ｓ４０４，Ｓ４０６：Ｎｏ）、または、Ｓ４２４の判断が肯定される場合（Ｓ４２４：Ｙｅｓ）、ＣＰＵ１１は、Ｓ４２６において、ＭＦＰ１を通常着呼モードへ移行させる（Ｓ４２６）。通常着呼モードにおいて、ＣＰＵ１１は、ＬＣＤ１６の画面を通常着呼表示に変更し（Ｓ４２８）、ＲＩＮＧ信号受信時には、アンプ２４によりスピーカ２５からベル音を鳴動するように設定し（Ｓ４３０）、ハンドセット２３およびフックキーを有効化する（Ｓ４３２）。
【００５０】
このようにすれば、ＲＩＮＧ信号受信回数が、通常着呼開始ＲＩＮＧ回数以上となった場合、すなわち、留守録転送指示ではないことが確定した場合、ＭＦＰ１のユーザは、通常の着信と同様、ＬＣＤ１６の表示またはベル音により着信に気づき、その着信に応答することができる。一方、外部装置からＭＦＰ１に発呼するユーザにとっては、通常の通話をしたい場合には、ＭＦＰ１におけるＲＩＮＧ信号受信回数が通常着呼開始ＲＩＮＧ回数以上となるまで、発呼を継続すれば良い。このようにすれば、ＭＦＰ１においてベル音を鳴動させ、ＭＦＰ１側のユーザに着信に気づかせ、通話することができる。
【００５１】
また、受信した発信電話番号が電話帳メモリ１４ａに記憶されていない場合、または受信した電話番号に対応づけられた設定データが留守録データを転送しないことを示すものである場合、その着信は留守録転送指示ではないことが明らかであるため、ＲＩＮＧ信号受信回数に拘わらず、ＭＦＰ１は、通常着呼モードに移行する。よって、ＭＦＰ１側のユーザは、通常の着信と同様、その着信に応答し通話することができる。
【００５２】
次に、ＣＰＵ１１は、ＲＩＮＧ信号受信回数を０にクリアする（Ｓ４３４）。このようにすれば、ＲＩＮＧ信号受信回数がユーザ設定値を超えた場合において、所定の処理（例えば、自動応答してＦＡＸ受信を開始する処理）を実行するようにＭＦＰ１が構成されているとき、ベル音が鳴り出してからのＲＩＮＧ信号受信回数に基づいて、所定の処理を実行することができる。
【００５３】
そして、発信電話番号メモリ１３ｂに記憶された留守録転送対象番号をクリアし（Ｓ４３６）、通常着呼処理（Ｓ４３８）に移行し、処理を終了する。この通常着呼処理（Ｓ４３８）において、操作キー１５に設けられた通話開始キーの押下や、ハンドセット２３を上げることによるオフフックが検出された場合、ＣＰＵ１１は、電話回線網１００に二次応答信号を送信することにより、着信に応答する。通常着呼処理は公知の処理であるため、詳細な説明は省略する。
【００５４】
一方、Ｓ４１８の判断が否定される場合（Ｓ４１８：Ｎｏ）、ＣＰＵ１１は、ＣａｌｌｅｒＩＤ信号またはＲＩＮＧ信号を最後に受信してからの経過時間が、所定時間を超えたか否かを判断する（Ｓ４４０）。ここで、「所定時間」は、この時間以上継続して、交換機から信号が送られてこない場合に着信が終了したと判断できるよう設定された値である。例えば、電話回線網１００の交換機が、ＲＩＮＧ信号を１秒送出した後に、２秒間の信号オフ期間を経て、再びＲＩＮＧ信号を送出するように構成されているものとする。この場合は、誤差を加味して、前記「所定時間」を、例えば２．１秒以上に設定すれば、着信が終了したか否かを好適に判断できる。なお、内線交換機にＭＦＰ１が接続される内線環境においては、内線交換機の仕様によりＭＦＰ１におけるＲＩＮＧ信号の受信間隔が異なる場合があるため、前記「所定時間」をより長く設定しても良いが、なるべく短時間で着信の終了を判断できるよう、前記「所定時間」は、６秒以下に設定すると良い。
【００５５】
Ｓ４４０の判断が否定される場合（Ｓ４４０：Ｎｏ）、ＣＰＵ１１は、Ｓ４１８に戻り処理を繰り返す。一方、Ｓ４４０の判断が肯定される場合（Ｓ４４０：Ｙｅｓ）、ＣＰＵ１１は、ＲＩＮＧ信号受信回数が０回か否かを判断する（Ｓ４４２）。Ｓ４４２の判断が否定される場合（Ｓ４４２：Ｎｏ）、ＣＰＵ１１は、留守録転送実行処理（Ｓ４４４）を実行することにより、留守録データを転送し、Ｓ４４６の処理に移行する。なお、留守録転送実行処理（Ｓ４４４）については、図５を参照して後述する。
【００５６】
一方、Ｓ４４２の判断が肯定される場合（Ｓ４４２：Ｙｅｓ）、ＣＰＵ１１は、ＭＦＰ１を着信待ちモードに移行させる（Ｓ４４６）。着信待ちモードにおいて、ＣＰＵ１１は、ＬＣＤ１６の画面を待機表示に変更し（Ｓ４４８）、ＲＩＮＧ信号受信時にはベル音を鳴動するように設定し（Ｓ４５０）、ハンドセット２３およびフックキーを有効化する（Ｓ４５２）。すなわち、着信に応答する前に当該着信が終了した場合において、ＲＩＮＧ信号受信回数が０であるとき、留守録データの転送を禁止する。このようにすれば、外部装置側のユーザが誤操作によりＭＦＰ１に発呼した場合にまで、留守録データの転送を実行してしまうことを回避できる。ＣａｌｌｅｒＩＤ信号は受信したが、ＲＩＮＧ信号は受信せずに着信が終了したという状況は、発呼元の外部装置側の誤操作の可能性が高いからである。
【００５７】
次に、ＣＰＵ１１は、ＲＩＮＧ信号受信回数を０にクリアし（Ｓ４５４）、留守録転送対象番号として発信電話番号メモリ１３ｂに記憶された発信電話番号をクリアし（Ｓ４５６）、処理を終了する。
【００５８】
図５は、留守録転送実行処理（Ｓ４４４）を示すフローチャートである。この留守録転送実行処理（Ｓ４４４）は、留守録データを転送する処理である。
【００５９】
まず、ＣＰＵ１１は回線３０を閉結する（Ｓ５０２）。すなわち、ＲＩＮＧ信号を５回未満、受信した後、所定時間以上継続してＲＩＮＧ信号を受信しないことを条件として、回線３０を閉結するのである。このようにすれば、外部装置からの着信終了後、留守録データ転送のための発呼を開始する前に、他の装置からの着信を受けて回線３０が使用されてしまうことを防止できる。その結果、留守録転送指示に遅滞なく応答できる。
【００６０】
次に、ＣＰＵ１１は、一定時間ウエイトする（Ｓ５０４）。すなわち、外部装置への発呼を開始する前に、一定時間をおく。このようにすれば、外部装置側のユーザにとっては、留守録転送指示のためにＭＦＰ１へ発呼して電話を切った後、少しの間を置いてから、ＭＦＰ１からの呼び出しを受けることとなるので、落ち着いて着信に応答することができる。
【００６１】
次に、ＣＰＵ１１は、現在時刻を今回留守録転送時刻として取得し（Ｓ５０６）、留守録転送対象番号の電話番号に対応づけた最終留守録転送時刻データが、電話帳メモリ１４ａに記憶されているか否かを判断する（Ｓ５０８）。Ｓ５０８の判断が否定される場合（Ｓ５０８：Ｎｏ）、ＣＰＵ１１は、留守録転送対象番号の電話番号に対応づけて、留守録転送登録時刻エリア１４ａ５に記憶されている留守録転送登録時刻データを取得し、最終留守録転送時刻データとして、最終留守録転送時刻エリア１４ａ４に設定する（Ｓ５１０）。なお、Ｓ５０８の判断が肯定される場合（Ｓ５０８：Ｙｅｓ）、ＣＰＵ１１は、Ｓ５１０をスキップする。
【００６２】
次に、ＣＰＵ１１は、留守録転送対象番号に対応づけられた最終留守録転送時刻データを取得し、その最終留守録転送時刻データで示される最終留守録転送時刻から今回留守録転送時刻までの間に、留守録データメモリ１４ｂに新たに登録された留守録データをリストアップして、転送対象とする（Ｓ５１２）。すなわち、最終留守録転送時刻データで示される日時よりも後に、留守録データメモリ１４ｂに保存された留守録データを、転送対象として抽出する。
【００６３】
上述したように、電話帳メモリ１４ａ（図２（ａ）参照）には、各電話番号に対応づけて最終留守録転送時刻データを記憶しているので、ＭＦＰ１は、どの時点で保存された留守録データから転送すれば良いかを、電話番号毎に管理することができる。したがって、複数台の外部装置から留守録転送機能を利用する場合であっても、利便性が良い。また、最終留守録転送時刻データが記憶されていない電話番号に対しては、留守録転送登録時刻データを基準として、転送対象とすべき留守録データが抽出されるので、適切な期間の留守録データを転送することができる。ある電話番号についての設定データが「有」に設定される前に保存された留守録データまで遡って、その電話番号の外部装置へ転送する必要性は低いからである。
【００６４】
そして、留守録転送対象番号へ発呼し（Ｓ５１４）、その発呼に対し、相手側の外部装置が回線を閉結することにより応答したか否かを判断する（Ｓ５１６）。Ｓ５１６の判断が否定される場合（Ｓ５１６：Ｎｏ）、ＣＰＵ１１は回線３０を開放し（Ｓ５１７）、一定時間待機し（Ｓ５１８）、Ｓ５０２に戻る。すなわち、一定時間後、留守録データの転送をリトライする。なお、Ｓ５１８において、一定時間の待機を行う間、ＭＦＰ１が他者からの着信を受け付けることができるよう、ＣＰＵ１１は、Ｓ５１７において回線を開放した後、図４に示すＳ４４６からＳ４５４の処理を実行しても良い。また、所定回数リトライしても、留守録データの転送を実行できなかった場合は、留守録転送実行処理（Ｓ４４４）を終了するように構成しても良い。
【００６５】
一方、Ｓ５１６の判断が肯定される場合（Ｓ５１６：Ｙｅｓ）、ＣＰＵ１１は、暗証番号の入力を受け付ける（Ｓ５１９）。相手側の外部装置において、正しい暗証番号の入力が行われたことを条件として、次に、ＣＰＵ１１は、留守録転送対象件数が０件であるか否かを判断する（Ｓ５２０）。
【００６６】
Ｓ５２０の判断が否定される場合（Ｓ５２０：Ｎｏ）、ＣＰＵ１１は、転送対象件数分の留守録データを音声信号に変換し、電話回線網１００へ送出する（Ｓ５２２）。すなわち、Ｓ５１２において抽出された留守録データを全件、転送する。
【００６７】
一方、Ｓ５２０の判断が肯定される場合（Ｓ５２０：Ｙｅｓ）、ＣＰＵ１１は、転送対象は、０件である旨のメッセージを送出する（Ｓ５２４）。このメッセージは、着呼側の外部装置の受話器から出力されるので、留守録転送を指示した外部装置のユーザは、転送すべき留守録データが０件であったことを知ることができる。
【００６８】
次に、ＣＰＵ１１は、回線３０を開放し（Ｓ５２６）、今回留守録転送時刻を、最終留守録転送時刻データとし、留守録転送対象番号の電話番号に対応づけて、電話帳メモリ１４ａの最終留守録転送時刻エリア１４ａ４に記憶する（Ｓ５２８）。すなわち、正常に転送できた転送日時を示す最終留守録転送時刻データを記憶する。このようにすれば、今回の留守録転送対象の電話番号に、次回、転送を行う際に、転送済みの留守録データを再び転送してしまうことを回避できる。
【００６９】
上記実施形態において、電話回線網１００が通信網の一例に相当し、留守録転送機能が保存データ転送機能の一例に相当し、Ｓ４０２を実行するＣＰＵ１１が発信電話番号受信手段の一例に相当し、ＲＩＮＧ信号が呼出信号の一例に相当し、Ｓ４２０を実行するＣＰＵ１１が呼出信号受信手段の一例に相当し、二次応答信号が応答信号の一例に相当し、Ｓ４３８を実行するＣＰＵ１１が応答手段の一例に相当し、留守録データメモリ１４ｂがデータ記憶手段の一例に相当し、留守録データが保存データの一例に相当し、Ｓ４４４を実行するＣＰＵ１１が転送手段の一例に相当し、ＲＩＮＧ信号受信回数カウンタ１３ａが計数手段の一例に相当し、通常着呼開始ＲＩＮＧ回数設定メモリ１４ｃに記憶される回数が所定回数の一例に相当し、アンプ２４およびスピーカ２５が鳴動手段の一例に相当し、Ｓ４１２の処理を実行するＣＰＵ１１が鳴動禁止手段の一例に相当し、電話番号エリア１４ａ２が電話番号記憶手段の一例に相当し、留守録転送登録エリア１４ａ３が設定記憶手段の一例に相当し、ＮＣＵ２６が回線制御手段の一例に相当し、Ｓ５０２を実行するＣＰＵ１１が回線閉結手段の一例に相当し、Ｓ４４２の判断が肯定された場合の処理を実行するＣＰＵ１１が転送禁止手段の一例に相当し、最終留守録転送時刻エリア１４ａ４が転送日時記憶手段の一例に相当し、Ｓ５１２を実行するＣＰＵ１１が転送日時取得手段および抽出手段の一例に相当する。
【００７０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７１】
上記実施形態において、保存データの一例である留守録データは、デジタルデータとして保存されるものとして説明したが、特許請求の範囲および明細書に記載する「保存データ」とは、アナログデータおよびデジタルデータの両者を含む上位概念を意味している。
【００７２】
また、上記実施形態において、ＭＦＰ１は、留守録データに対応づけられたデータ番号や録音時間データを読み上げる音声を合成し、留守録データと共に転送するように構成しても良い。その場合は、データ番号、録音時間データ、留守録データが、それぞれ保存データの一例に相当する。
【００７３】
また、上記実施形態では、Ｓ５１２の処理により転送対象として抽出された留守録データを全て転送していた。これに代えて、例えば、留守録データを転送する前に、抽出された留守録データの件数と、抽出された留守録データのデータ番号とを音声メッセージとして送出し、発呼先の電話装置から、ＤＴＭＦ信号を利用して指定されたデータ番号の留守録データのみを転送するように構成しても良い。このようにすれば、ユーザが聞きたい留守録データのみを転送することができる。
【００７４】
また、上記実施形態では、留守録データを転送する場合に本発明を適用するものとして説明した。しかしながら、例えば、通話中に発呼側と被呼側の相互の通話を録音したデータをメモリに保存し、外部装置へ転送する通信装置、あるいは、ＦＡＸ受信した画データをメモリに保存し、外部装置へ転送する通信装置においても、本発明を適用可能である。その場合、通話を録音したデータ、画データが、それぞれ保存データの一例に相当する。
【００７５】
また、上記実施形態では、ＲＩＮＧ信号受信回数が所定回数未満である間、呼出音の鳴動を禁止していたが、これに加え、またはこれに代えて、「受話器を取らないで下さい」などの音声メッセージをスピーカから音声出力するように構成しても良い。
【００７６】
また、上記実施形態では、転送対象の留守録データが０件である場合、外部装置へメッセージを送出していたが、転送対象の留守録データが０件である場合は、例えば、外部装置を所定回数呼び出した後、発呼を終了することにより、転送対象の留守録データがないことを知らせても良い。
【００７７】
また、ＭＦＰ１は、留守録転送専用の電話番号を有していても良い。その場合は、外部装置から着信があり、その着信に応答する前に当該着信が終了したとき、一律に留守録データを、前記外部装置へ転送する構成としても良い。すなわち、ＲＩＮＧ信号受信回数や、電話番号が登録されているか否か、また、設定データの如何に関わらず、留守録データを転送する構成としても良い。
【００７８】
また、上記実施形態において、ＭＦＰ１は、公衆電話回線である電話回線網１００を介した通信を行うものとして説明したが、インターネット回線などを介し、パケット単位でデータをやりとりするＩＰ電話通信を行う場合にも、本発明を適用可能である。
【符号の説明】
【００７９】
１          ＭＦＰ
１３ａ      ＲＩＮＧ信号受信回数カウンタ
１４ａ      電話帳メモリ
１４ｂ      留守録データメモリ
２４        アンプ
２５        スピーカ
２６        ＮＣＵ
１００      電話回線網
【図１】
2011135318.tif 000003
【図２】
2011135318.tif 000004
【図３】
2011135318.tif 000005
【図４】
2011135318.tif 000006
【図５】
2011135318.tif 000007